(57)【要約】【課題】  利用者に応じた各種運転状態の操作等の有効又は無効を自動的に設定することができ、また利用者が特別な操作をすることなく設定の変更を行うことができる空調機のリモコン装置を提供する。【解決手段】  空調機の各種運転指令を入力する操作入力部１１と、空調機の各種運転指令のうち、利用可能な運転指令についての利用可能情報を記憶した利用可能情報記憶カード３との間で無線通信を行う無線通信部１２と、利用可能情報記憶カード３から利用可能情報を無線通信部１２を介して取得し、操作入力部１１から入力された空調機の運転指令の有効又は無効を設定する設定手段１３とを備えたものである。【選択図】        図１
2006283999.tif 000002
【特許請求の範囲】
【請求項１】
空調機の各種運転指令を入力する操作入力部と、
前記空調機の各種運転指令のうち、利用可能な運転指令についての利用可能情報を記憶した利用可能情報記憶カードとの間で無線通信を行う無線通信部と、
前記利用可能情報記憶カードから前記利用可能情報を前記無線通信部を介して取得し、前記操作入力部から入力される前記空調機の運転指令の有効又は無効を設定する設定手段とを備えたことを特徴とする空調機のリモコン装置。
【請求項２】
前記利用可能情報記憶カードから取得した前記利用可能情報を記憶する記憶手段を備えたことを特徴とする請求項１記載の空調機のリモコン装置。
【請求項３】
前記無線通信部は、ＩＣを内蔵し、前記利用可能情報を書き換え可能な利用可能情報記憶カードとの間で無線通信を行うことを特徴とする請求項１又は２記載の空調機のリモコン装置。
【請求項４】
空調機の各種運転指令を入力する操作入力部と、
識別情報を記憶した識別情報記憶カードとの間で無線通信を行う無線通信部と、
前記空調機の各種運転指令のうち、前記識別情報に応じて利用可能な前記空調機の運転指令についての運転情報を記憶する記憶手段と、
前記識別情報記憶カードから前記識別情報を前記無線通信部を介して取得し、該識別情報と前記運転情報に基づき、前記操作入力部から入力される前記空調機の運転指令の有効又は無効を設定する設定手段とを備えたことを特徴とする空調機のリモコン装置。
【請求項５】
前記無線通信部は、ＩＣを内蔵し、前記識別情報を書き換え可能な識別情報記憶カードとの間で無線通信を行うことを特徴とする請求項４記載の空調機のリモコン装置。
【請求項６】
携帯端末によって、前記操作入力部から入力される前記空調機の運転指令の有効又は無効を設定することが可能であることを特徴とする請求項１〜５のいずれかに記載の空調機のリモコン装置。
【請求項７】
請求項１〜６のいずれかに記載の空調機のリモコン装置を備えていることを特徴とする空調機。
【請求項８】
複数の空調機と、
前記空調機の各種運転指令を入力するリモコン装置と、
前記空調機の各種運転指令のうち、利用可能な運転指令についての利用可能情報を記憶した利用可能情報記憶カードとの間で無線通信を行う無線通信部と、
前記利用可能情報記憶カードから前記利用可能情報を前記無線通信部を介して取得し、前記操作入力部から入力される前記空調機の運転指令の有効又は無効を設定する集中コントローラ
とを備えたことを特徴とする空調システム。
【請求項９】
複数の空調機と、
前記空調機の各種運転指令を入力するリモコン装置と、
識別情報を記憶した識別情報記憶カードとの間で無線通信を行う無線通信部と、
前記空調機の各種運転指令のうち、前記識別情報に応じて利用可能な前記空調機の運転指令についての運転情報を記憶する記憶手段と、
前記識別情報記憶カードから前記識別情報を前記無線通信部を介して取得し、該識別情報と前記運転情報に基づき、前記操作入力部から入力される前記空調機の運転指令の有効又は無効を設定する集中コントローラ
とを備えたことを特徴とする空調システム。
【発明の詳細な説明】
【技術分野】
【０００１】
本発明は、空調機のリモコン装置及び空調機並びに空調システムに関し、特に利用者に応じて操作を制限することのできる空調機のリモコン装置及びこのリモコン装置を備えた空調機並びに空調システムに関する。
【背景技術】
【０００２】
従来の集中制御型空気調和システムおよび空気調和システムの集中制御方法では、リモコン装置での各種運転状態の操作や表示項目を有効又は無効にしたい場合に、集中制御装置によって予め各種項目について有効又は無効の設定を行っていた（例えば、特許文献１参照）。
【０００３】
また従来の空気調和機の制御装置では、利用者が運転を制御する複数のスイッチを特定の操作手順によって操作することにより、運転状態を制御できるようにしていた（例えば、特許文献２参照）。
【特許文献１】特開平１０−１４８３８１号公報（図７〜図１０）
【特許文献２】特開平５−２２３３２６号公報（図４、図６）
【発明の開示】
【発明が解決しようとする課題】
【０００４】
従来の集中制御型空気調和システムおよび空気調和システムの集中制御方法では（例えば、特許文献１参照）、リモコン装置での各種運転状態の操作や表示項目の有効・無効を集中制御装置によって設定するようになっている。しかし、例えば保守業者が空調機の保守・点検を行うために各種項目をすべて有効にしたい場合に、保守業者はリモコン装置から設定変更を行うことができないため、集中制御装置によって設定変更を行わなければならず、設定変更に時間がかかり手続きも煩雑になるという問題点があった。
【０００５】
また従来の空気調和機の制御装置では（例えば、特許文献２参照）、利用者が運転を制御する複数のスイッチを特定の操作手順によって操作することにより、運転状態を制御できるようにしているため、例えば利用者が操作手順を忘れてしまった場合に、運転状態を変更できなくなってしまうという問題点があった。
【０００６】
本発明は、利用者に応じた各種運転状態の操作等の有効又は無効を自動的に設定することができ、また利用者が特別な操作をすることなく設定の変更を行うことができる空調機のリモコン装置及びこのリモコン装置を備えた空調機並びに空調システムを提供することを目的とする。
【課題を解決するための手段】
【０００７】
本発明に係る空調機のリモコン装置は、空調機の各種運転指令を入力する操作入力部と、空調機の各種運転指令のうち、利用可能な運転指令についての利用可能情報を記憶した利用可能情報記憶カードとの間で無線通信を行う無線通信部と、利用可能情報記憶カードから利用可能情報を無線通信部を介して取得し、操作入力部から入力された空調機の運転指令の有効又は無効を設定する設定手段とを備えたものである。
【発明の効果】
【０００８】
本発明に係る空調機のリモコン装置では、無線通信部で利用可能情報記憶カードに記憶された利用可能情報を読み取り、設定手段が利用可能情報に基づいて空調機の各種運転指令の有効又は無効を設定するため、例えば利用可能情報記憶カードを無線通信部にかざすだけで、自動的に各種操作の有効又は無効を設定することが可能となる。
【発明を実施するための最良の形態】
【０００９】
実施形態１．
図１は、本発明の実施形態１に係る空調機のリモコン装置及びこのリモコン装置を備えた空調機を示す模式図である。なお図１では、空調機の利用者が携帯する利用可能情報記憶カードも示している。また本実施形態１では、リモコン装置１と空調機本体２を合わせて空調機というものとする。
図１に示すようにリモコン装置１は、操作入力部１１、無線通信部１２、設定手段１３、表示部１４、記憶手段１５を備え、設定手段１３は、通信線を介して空調機（空気調和機）本体２と接続されている。なお本実施形態１では、設定手段１３と空調機本体２が通信線を介して接続されているものとするが、無線通信によって設定手段１３からの信号を空調機本体２が受信するようにしてもよい。
【００１０】
操作入力部１１は、空調機の利用者が運転、停止、運転モード等についての各種運転指令を入力する部分であり、例えば複数のボタンを備えている。無線通信部１２は、利用可能情報記憶カード３と無線通信を行う部分であり、利用可能情報記憶カード３に記憶された利用可能情報を読み取る。なお利用可能情報記憶カード３は、利用可能情報記憶素子３１を備えており、利用可能情報記憶素子３１は、利用可能情報記憶カード３を携帯する利用者が利用可能な運転指令についての情報（利用可能情報）を記憶している。
【００１１】
設定手段１３は、無線通信部１２を介して利用可能情報を取得して、空調機の運転指令の有効又は無効の設定を行うものである。表示部１４は、空調機本体２の運転状態等を表示する部分であり、液晶パネル等を備えている。また記憶手段１５は、無線通信部１２が読み込んだ利用可能情報を記憶する部分であり、例えばＲＡＭ等のメモリから構成されている。
【００１２】
ここで、図１に示すリモコン装置１、空調機本体２、利用可能情報記憶カード３の動作について説明する。
本実施形態１に係る空調機が設置されているビルや店舗等における利用者は、例えば社員証やネームプレートとして利用可能情報記憶カード３を携帯している。これは、特定の利用者が利用可能な運転指令（例えば、運転、停止、運転モード、温度設定等）を記憶した利用可能情報記憶素子３１を社員証やネームプレートに内蔵させて、利用可能情報記憶カード３として使用するということである。
【００１３】
この利用可能情報記憶カード３を携帯した利用者がリモコン装置１に近づいたり、利用可能情報記憶カード３を無線通信部１２にかざすと、無線通信部１２は利用可能情報記憶カード３と無線通信を行い、利用可能情報記憶素子３１に記憶された利用可能情報を読み取り、記憶手段１５に記憶させる。
そして、設定手段１３は記憶手段１５に記憶された利用可能情報を読み込み、この利用可能情報に基づいて操作入力部１１から入力される空調機の運転指令の有効又は無効について設定を行う。これは例えば、利用者が利用可能な運転指令（運転、停止、運転モードの変更等）のみを有効にして、利用者が利用できない運転指令については無効にするということである。これによって利用者は、有効に設定された操作項目のみを操作できるようになる。
なお設定手段１３が、記憶手段１５に記憶された利用可能情報に基づいて、表示部１４に、空調機の運転指令のうち有効に設定された運転指令のみを表示させたり、無効に設定された運転指令について、例えば「操作が禁止されています。」と表示させるようにしてもよい。
【００１４】
図２は、利用可能情報記憶カード３の利用可能情報の書き換えについて説明するための模式図である。
本実施形態１では、利用可能情報記憶カード３の利用可能情報記憶素子３１がＩＣから構成され、利用可能情報記憶素子３１にはアンテナ３２が接続されている。なおこのようなカードは、一般的にＩＣタグと呼ばれるものであり、利用可能情報記憶素子３１及びアンテナ３２は利用可能情報記憶カード３に内蔵されている。
【００１５】
利用可能情報記憶素子３１に記憶された利用可能情報は、書き換え機５によって書き換えが可能であり、例えば書き換え機５の送受信部５１に利用可能情報記憶カード３を近づけると、書き換え機５は送受信部５１から利用可能情報記憶カード３に電力及び書き換え用の利用可能情報を送信する。利用可能情報記憶カード３は、書き換え機５から受信した電力によって動作し、無線通信によって書き換え機５と利用可能情報等の送受信を行い、利用可能情報記憶素子３１に記憶された利用可能情報の書き換えが行われる。
このため、利用可能情報記憶カード３には電源を設ける必要がなく、また利用可能情報記憶カード３がケース等に入れられた状態でも書き換えが可能となる。
なお、このようなＩＣタグの書き換え機については、例えば鉄道の駅等に設置されている自動改札機の技術を適用することができる。また書き換え機５は、空調機のリモコン装置１に内蔵させるようにしてもよい。
【００１６】
本実施形態１では、リモコン装置１の無線通信部１２で、利用可能情報記憶カード３に記憶された利用可能情報を読み取り、設定手段１３が利用可能情報に基づいて空調機の各種運転指令の有効又は無効を設定するため、特別な操作をすることなく、有効又は無効の設定を自動的に行うことが可能となる。
【００１７】
実施形態２．
図３は、本発明の実施形態２に係る空調機のリモコン装置及びこのリモコン装置を備えた空調機を示す模式図である。なお図３では、空調機の利用者が携帯する識別情報記憶カードも示している。また本実施形態２では、リモコン装置１と空調機本体２を合わせて空調機というものとする。
なお本実施形態２に係る空調機のリモコン装置１は、実施形態１に係る空調機のリモコン装置１と運転指令の有効又は無効を設定する方法が異なるものであるが、リモコン装置１及び空調機本体２の構成は実施形態１に係る空調機のリモコン装置１とほぼ同様であり、同じ構成要素には同じ符号を付して説明する。
【００１８】
図３に示すようにリモコン装置１は、操作入力部１１、無線通信部１２、設定手段１３、表示部１４、記憶手段１５を備え、設定手段１３は、通信線を介して空調機（空気調和機）本体２と接続されている。なお本実施形態２では、設定手段１３と空調機本体２が通信線を介して接続されているものとするが、無線通信によって設定手段１３からの信号を空調機本体２が受信するようにしてもよい。
【００１９】
操作入力部１１は、空調機の利用者が運転、停止、運転モード等についての各種運転指令を入力する部分であり、例えば複数のボタンを備えている。無線通信部１２は、識別情報記憶カード４と無線通信を行う部分であり、識別情報記憶カード４に記憶された識別情報を読み取る。なお識別情報記憶カード４は、識別情報記憶素子４１を備えており、識別情報記憶素子４１は、識別情報記憶カード４を携帯する利用者を識別するための固有の情報（識別情報）を記憶している。
【００２０】
設定手段１３は、無線通信部１２を介して識別情報を取得して、空調機の運転指令の有効又は無効の設定を行うものである。表示部１４は、空調機本体２の運転状態等を表示する部分であり、液晶パネル等を備えている。また記憶手段１５は、例えばＲＡＭ等のメモリから構成され、空調機の各種運転指令のうち識別情報に応じて利用可能な運転指令についての情報を記憶している。本実施形態２では、この各種運転指令のうち識別情報に応じて利用可能な運転指令についての情報を運転情報というものとする。また本実施形態２では記憶手段１５が、無線通信部１２が読み込んだ識別情報を記憶するものとする。
【００２１】
ここで、図３に示すリモコン装置１、空調機本体２、識別情報記憶カード４の動作について説明する。
本実施形態２に係る空調機が設置されているビルや店舗等における利用者は、例えば社員証やネームプレートとして識別情報記憶カード４を携帯している。これは、利用者を識別するための固有の情報（例えば、社員番号、パスワード等）を記憶した識別情報記憶素子４１を社員証やネームプレートに内蔵させて、識別情報記憶カード４として使用するということである。
【００２２】
この識別情報記憶カード４を携帯した利用者がリモコン装置１に近づいたり、識別情報記憶カード４を無線通信部１２にかざすと、無線通信部１２は識別情報記憶カード４と無線通信を行い、識別情報記憶素子４１に記憶された識別情報を読み取り、記憶手段１５に記憶させる。
そして、設定手段１３は記憶手段１５に記憶された識別情報と、この識別情報に対応する運転情報を読み込み、この識別情報と運転情報に基づいて操作入力部１１から入力される空調機の運転指令の有効又は無効について設定を行う。これは例えば、識別情報に対応する運転情報に書き込まれた運転指令のみを有効にして、その運転情報に書き込まれていない運転指令については無効にするということである。これによって利用者は、有効に設定された操作項目のみを操作できるようになる。また例えば、識別情報に対応する運転情報がない場合には、設定手段１３は表示部１４に「ご利用になれません。」等のメッセージを表示させるようにしてもよい。
【００２３】
なお実施形態１と同様に設定手段１３が、記憶手段１５に記憶された識別情報及び運転情報に基づいて、表示部１４に、空調機の運転指令のうち有効に設定された運転指令のみを表示させたり、無効に設定された運転指令について、例えば「操作が禁止されています。」と表示させるようにしてもよい。
また識別情報記憶カード４は、例えば図２に示すようなＩＣタグを用いることができ、識別情報の書き換えも、図２に示すような書き換え機５によって行うことができる。
【００２４】
本実施形態２では、リモコン装置１の無線通信部１２で、識別情報記憶カード４に記憶された識別情報を読み取り、設定手段１３が識別情報と記憶手段１５に記憶された運転情報に基づいて空調機の各種運転指令の有効又は無効を設定するため、特別な操作をすることなく、有効又は無効の設定を自動的に行うことが可能となる。
また識別情報記憶カード４は、利用者を識別するための固有の情報（識別情報）を記憶しているため、識別情報記憶カードを空調機の操作だけでなく他の用途に用いることもできる。
【００２５】
実施形態３．
図４は、空調機の運転指令の有効又は無効に任意に設定することのできる携帯端末を示した模式図である。本実施形態３では、保守業者が実施形態１に係る空調機を保守・点検する場合を例にとって説明する。
保守業者等が携帯する携帯端末６は、表示部６１、入力部６２、通信部６３、記憶部６４、制御部６５を備えている。表示部６１は例えば液晶パネルからなり、運転指令の有効又は無効の設定状態等を表示するものである。また入力部６２は、複数のボタン等からなり、運転指令の有効又は無効の設定の変更を行うものである。通信部６３は、空調機のリモコン装置１の無線通信部１２と無線通信を行う部分であり、記憶部６４はＲＡＭ等からなり種々のデータを記憶する。さらに制御部６５はＣＰＵ等からなり、表示部６１、入力部６２、通信部６３、記憶部６４の制御を行うものである。
【００２６】
次に、携帯端末６の動作について説明する。
保守業者が空調機の保守・点検を行う場合には、一般の利用者と異なり、より多くの操作が必要となる。またリモコン装置１の利用は一時的である場合が一般的であり、保守・点検作業が終了すれば操作をすることはない。このため保守業者は、一時的に操作入力部１１から入力される運転指令の有効又は無効を任意に設定できる必要がある。また保守・点検作業が終了したときには、運転指令の有効・無効の設定を元に戻す必要がある。
【００２７】
保守業者は、携帯端末６の通信部６３が無線通信部１２から受信した運転指令の有効・無効の設定内容を表示部６１で確認し、入力部６２から保守・点検作業に必要な運転指令を入力する。ここで入力された運転指令の情報は、通信部６３を介してリモコン装置１の無線通信部１２に送信され、リモコン装置１の記憶手段１５に記憶される。そして設定手段１３は、保守業者が入力した運転指令を有効に設定する。
なお本実施形態３では、一時的に保守業者が入力した運転指令を有効に設定するため、保守・点検作業開始時に設定されている空調機の運転指令の有効・無効の設定を通信部６３を介して記憶部６４に読み込む。そして保守・点検作業が終了すると、記憶部６４に記憶された運転指令の有効・無効の設定を通信部６３からリモコン装置１の無線通信部１２に送信して記憶手段１５に記憶させて、運転指令の有効・無効の設定を元に戻すようにしている。
【００２８】
なお携帯端末６は、リモコン装置１と無線通信をする手段を備えたものであればよく、例えば携帯端末６として、携帯電話、無線通信の可能なパーソナルコンピュータ、ＰＤＡ（Ｐｅｒｓｏｎａｌ  Ｄｉｇｉｔａｌ  Ａｓｓｉｓｔａｎｔ）等を用いることができる。この際セキュリティーのため、運転指令を有効にする前に、保守業者にパスワードを入力させるようにしてもよい。
また、実施形態２に係る空調機にこのような携帯端末６を適用する場合には、例えば保守業者にすべての運転指令を有効に設定することのできる運転情報に対応する識別情報を入力させるようにすればよい。
【００２９】
本実施形態３では、携帯端末６によって、操作入力部１１から入力される空調機の運転指令の有効又は無効を設定することができるため、保守・点検作業等の際に短時間で容易に運転指令の有効又は無効を設定することが可能となる。
【００３０】
実施形態４．
図５は、本発明の実施形態４に係る空調システムを示した模式図である。図５に示す空調システムは、操作入力部１１及び表示部１４を有するリモコン装置１ａ、複数の空調機（実施形態１の空調機本体２に相当）２ａ、２ｂ、２ｃと、集中コントローラ７、無線通信部１２、記憶手段１５を備えている。なお、操作入力部１１、表示部１４、無線通信部１２、記憶手段１５の機能については、実施形態２のものとほぼ同様である。また集中コントローラ７は、実施形態２における設定手段１３に相当するものである。
【００３１】
本実施形態４では、実施形態２に係る空調機と同様に、無線通信部１２で、識別情報記憶カード４に記憶された識別情報を読み取り、集中コントローラ７が識別情報と記憶手段１５に記憶された運転情報に基づいて空調機２ａ、２ｂ、２ｃの各種運転指令の有効又は無効を設定するようになっている。なお本実施形態４に係る空調システムでは、例えば運転指令の有効又は無効を空調機ごとに行うようになっている。これは例えば、ある特定の利用者は空調機２ａの運転指令をすべて有効にでき、他の利用者は空調機２ｂの限定された運転指令のみを有効にできるなどということである。
また本実施形態４では、１つのリモコン装置１ａですべての空調機２ａ、２ｂ、２ｃを操作するようになっているが、例えばリモコン装置を空調機ごとに設けるようにしてもよい。
【００３２】
本実施形態４では、実施形態２と同様に識別情報及び運転情報により空調機２ａ、２ｂ、２ｃの運転指令の有効又は無効を設定するようにしているが、これに代えて実施形態１に係る空調機と同様に利用可能情報によって運転指令の有効又は無効を設定するようにしてもよい。
【００３３】
本実施形態４では、複数の空調機２ａ、２ｂ、２ｃを集中コントローラ７によって集中して各種運転指令の有効又は無効を設定するようになっているので、管理等が容易となりコストを削減することが可能となる。
【００３４】
なお本発明に係る空調機のリモコン装置及び空調機並びに空調システムは、上記の実施形態に限定されるものではなく、本発明の思想の範囲内において変更が可能である。例えば、１枚のＩＣタグに上記の利用可能情報及び識別情報を記憶させて、運転指令の有効又は無効の設定を利用可能情報及び識別情報の両方に基づいて行うようにしてもよい。
【図面の簡単な説明】
【００３５】
【図１】本発明の実施形態１に係る空調機のリモコン装置及びこのリモコン装置を備えた空調機を示す模式図。
【図２】利用可能情報記憶カードの利用可能情報の書き換えについて説明するための模式図。
【図３】本発明の実施形態２に係る空調機のリモコン装置及びこのリモコン装置を備えた空調機を示す模式図。
【図４】空調機の運転指令の有効又は無効に任意に設定することのできる携帯端末を示した模式図。
【図５】本発明の実施形態４に係る空調システムを示した模式図。
【符号の説明】
【００３６】
１  リモコン装置、２  空調機本体、３  利用可能情報記憶カード、４  識別情報記憶カード、１１  操作入力部、１２  無線通信部、１３  設定手段、１４  表示部、１５  記憶手段。
【図１】
2006283999.tif 000003
【図２】
2006283999.tif 000004
【図３】
2006283999.tif 000005
【図４】
2006283999.tif 000006
【図５】
2006283999.tif 000007